(57)【要約】      （修正有）【課題】血液循環、血色、抵抗力の向上に有効な光波及び磁場を発生させる共振高調波効果を得る光磁気照射機を提供する。【解決手段】光磁気照射機は、ハウジングと、光子発生装置２０と、磁力ユニットとを備える。ハウジングは、空間１１の周りに形成され、空間１１外側の磁力遮蔽層１２に位置する。光子発生装置２０は、ハウジングに設けられ、空間１１に入射する光子を発生させる。磁力ユニットは、ハウジングに設けられるとともに、磁力遮蔽層１２の内側に位置し、磁力ユニットにより発生された磁力線の外方へ向かう部分は、磁力遮蔽層１２により遮蔽され、内部へ向かう部分は空間１１を透過する。【選択図】図４
0003213328.tif 000002
【実用新案登録請求の範囲】
【請求項１】
ハウジングと、光子発生装置と、磁力ユニットと、を備えた光磁気照射機であって、
前記ハウジングは、空間の周りに形成され、前記空間外側の磁力遮蔽層に位置し、
前記光子発生装置は、前記ハウジングに設けられ、前記空間に入射する光子を発生させ、
前記磁力ユニットは、前記ハウジングに設けられるとともに、前記磁力遮蔽層の内側に位置し、前記磁力ユニットにより発生された磁力線の外方へ向かう部分は、前記磁力遮蔽層により遮蔽され、内部へ向かう部分は空間を透過することを特徴とする光磁気照射機。
【請求項２】
前記磁力遮蔽層は鋼層であることを特徴とする請求項１に記載の光磁気照射機。
【請求項３】
前記磁力ユニットは、空間を取り囲むように設けた少なくとも１つのユニット磁気領域を有し、
各前記ユニット磁気領域は、空間内部へ向かう少なくとも１対のＮ極及びＳ極を有することを特徴とする請求項１に記載の光磁気照射機。
【請求項４】
前記磁力ユニットは、複数のユニット磁気領域を有し、
前記ユニット磁気領域は、前記空間を取り囲むように間隔を隔てて設けられることを特徴とする請求項３に記載の光磁気照射機。
【請求項５】
前記ハウジングは、第１の磁力透過層を有し、
前記磁力ユニットは、前記第１の磁力透過層と前記磁力遮蔽層との間に位置することを特徴とする請求項１〜４の何れか１項に記載の光磁気照射機。
【請求項６】
前記第１の磁力透過層の両側部には、間隔を隔てて設けられた複数の嵌合溝領域と、複数の凹凸構造とが取り囲むようにそれぞれ設けられ、
各前記磁力ユニットは、前記嵌合溝領域のうちの１つに嵌設され、前記凹凸構造の一部と環状に内外で対応することを特徴とする請求項５に記載の光磁気照射機。
【請求項７】
前記ハウジングは、第２の磁力透過層を有し、
前記第１の磁力透過層は、前記第２の磁力透過層と前記磁力遮蔽層との間に位置することを特徴とする請求項５に記載の光磁気照射機。
【請求項８】
前記第１の磁力透過層と前記第２の磁力透過層とは、粘着層を介して結合されることを特徴とする請求項７に記載の光磁気照射機。
【請求項９】
前記ハウジングは、前記空間と連通した入口を一端に有し、磁力盤を他端に有し、
前記磁力盤は、前記光子発生装置に対向し、
前記光子発生装置は、回路基板と、前記回路基板に設けられた少なくとも１つの光源と、前記光源に隣り合う導光部材と、を有し、
前記導光部材は、光子を前記空間に導入することを特徴とする請求項５に記載の光磁気照射機。
【請求項１０】
前記光子発生装置は、前記回路基板と電気的に接続された電源部材を有し、
前記電源部材は、電池、又は外部と電気的に接続される電気コネクタであり、
前記導光部材は、複数の光学構造を有することを特徴とする請求項９に記載の光磁気照射機。
【考案の詳細な説明】
【技術分野】
【０００１】
本考案は、光磁気照射機に関する。
【背景技術】
【０００２】
現代人は、仕事が忙しく、屋外での運動する機会が少なく、空気も悪いため、血液循環が好ましくなく、血色不良で、抵抗力が好ましくなく、病気になり易かった。
【０００３】
従来市販されている物としては、疲労感を無くす磁力装置、赤外線装置があるが、それぞれ単独の磁力又は光線効果しかなく、磁力及び光線の共振により得られる高調波効果は、血液循環、血色、抵抗力の向上に限界があった。
【０００４】
そのため、上述した従来技術の問題点を改善し、新規性及び進歩性を有する光磁気照射機が求められていた。
【考案の概要】
【考案が解決しようとする課題】
【０００５】
本考案の目的は、光波及び磁場を発生させる共振高調波効果を得る光磁気照射機を提供することにある。
【課題を解決するための手段】
【０００６】
上記課題を解決するために、本考案の第１の形態によれば、ハウジングと、光子発生装置と、磁力ユニットと、を備えた光磁気照射機であって、前記ハウジングは、空間の周りに形成され、前記空間外側の磁力遮蔽層に位置し、前記光子発生装置は、前記ハウジングに設けられ、前記空間に入射する光子を発生させ、前記磁力ユニットは、前記ハウジングに設けられるとともに、前記磁力遮蔽層の内側に位置し、前記磁力ユニットにより発生された磁力線の外方へ向かう部分は、前記磁力遮蔽層により遮蔽され、内部へ向かう部分は空間を透過することを特徴とする光磁気照射機が提供される。
【図面の簡単な説明】
【０００７】
【図１】図１は、本考案の第１実施形態に係る光磁気照射機を示す斜視図である。
【図２】図２は、図１の部分拡大図である。
【図３】図３は、本考案の第１実施形態に係る光磁気照射機を示す分解斜視図である。
【図４】図４は、本考案の第１実施形態に係る光磁気照射機を示す断面図である。
【図５】図５は、図４の部分拡大図である。
【図６】図６は、本考案の第１実施形態に係る光磁気照射機の別の角度からの断面図である。
【図７】図７は、本考案の第２実施形態に係る光磁気照射機を示す斜視図である。
【図８】図８は、本考案の第２実施形態に係る光磁気照射機を示す分解斜視図である。
【図９】図９は、本考案の第２実施形態に係る光磁気照射機を示す断面図である。
【図１０】図１０は、本考案の第２実施形態に係る光磁気照射機の別の角度からの断面図である。
【考案を実施するための形態】
【０００８】
以下、本考案の実施形態について図に基づいて説明する。なお、これによって本考案が限定されるものではない。
【０００９】
（第１実施形態）
図１〜図６を参照する。本考案の第１実施形態に係る光磁気照射機は、少なくともハウジング１０と、光子発生装置２０と、磁力ユニット３０と、から構成されてなる。
【００１０】
ハウジング１０は、空間１１の周りに形成され、空間１１外側の磁力遮蔽層１２に位置する。光子発生装置２０は、ハウジング１０に設けられ、空間１１に入射する光子を発生させる。磁力ユニット３０は、ハウジング１０に設けられ、磁力遮蔽層１２の内側に位置し、磁力ユニット３０が発生させる磁力線の外方へ向かう部分は、磁力遮蔽層１２により遮蔽され、内部へ向かう部分が空間１１を透過し、磁気エネルギーが集中するため空間１１へ向かうに従って減衰することがなく、光波及び磁場の共振高調波効果を得ることができる。
【００１１】
本実施形態において、磁力遮蔽層１２は鋼層であるが、その他磁力に対して遮蔽効果を備える材料からなってもよいし、遮蔽効果を備えない材料からなってもよい。
【００１２】
光子発生装置２０は、回路基板２１と、回路基板２１に設けられた少なくとも１つの光源２２と、光源２２に隣り合う導光部材２３と、を含む。導光部材２３は、光子を空間１１に導入する。光子発生装置２０は、回路基板２１と電気的に接続された電源部材２４を含む。電源部材２４は、電池でもよいし、外部と電気的に接続された電気コネクタ（例えば、ユニバーサルシリアルバスその他差込プラグ）でもよい。光子発生装置２０は、ハウジング１０に設けられた電源スイッチ２５によりオフすることができる。好ましくは、光子発生装置２０は、複数のＬＥＤ光源（その他の種類の光源でもよい）を含む。導光部材２３は、光路を導いたり、光を均一化したりし、光波と磁場との間の交互作用を効果的に向上する複数の光学構造２３１を含む。
【００１３】
磁力ユニット３０は、空間１１を取り囲むように設けられた少なくとも１つのユニット磁気領域３１を含む。各ユニット磁気領域３１は、空間１１内部へ向かう少なくとも１対のＮ極、Ｓ極を含む。各ユニット磁気領域３１は、単一のマグネットリングでもよいし、複数のコイルが環状に配列された複数対のＮ極、Ｓ極を有してもよい。本実施形態の磁力ユニット３０は、複数のユニット磁気領域３１を含む。複数のユニット磁気領域３１は、空間１１を取り囲むように間隔を隔てて設けられる。
【００１４】
好ましくは、ハウジング１０は第１の磁力透過層１３を含む。磁力ユニット３０は、第１の磁力透過層１３と磁力遮蔽層１２との間に位置する。第１の磁力透過層１３の両側部には、間隔を隔てて設けられた複数の嵌合溝領域１３１と、複数の凹凸構造１３２とが取り囲むようにそれぞれ設けられる。各磁力ユニット３０は、嵌合溝領域１３１のうちの１つに嵌設され、複数の凹凸構造１３２の一部と環状に内外で対応する。ハウジング１０は、第２の磁力透過層１４を含む。第１の磁力透過層１３は、第２の磁力透過層１４と磁力遮蔽層１２との間に位置する。第１の磁力透過層１３と第２の磁力透過層１４とは、粘着層１５を介して結合される。第２の磁力透過層１４は、保護効果を有し、その内面は平坦状であり、使用し易くて快適である。
【００１５】
ハウジング１０は、空間１１と連通した入口１６を一端に有し、磁力盤３２を他端に有する。磁力盤３２は、光子発生装置２０に対向する。磁力盤３２が発生させる磁場は、磁力ユニット３０が発生させる磁場と互いに利得し、光子との交互作用（高調波効果）が高い。
【００１６】
好ましくは、ハウジング１０は、互いに蓋着する２つのカバー１７を含み、封止して製造することが容易である。２つのカバー１７の一端には、複数の収容溝１７１が形成されている。収容溝１７１には、回路基板２１、導光部材２３、磁力ユニット３０及び磁力盤３２が収容又は／及び係合され易い。光磁気照射機１は、フレーム４０を含む。ハウジング１０は、好ましくは脱着可能、かつ、調整可能にフレーム４０と結合されている。フレーム４０の底部には、移動し易いようにホイール４１が取り付けられていることが好ましい。
【００１７】
（第２実施形態）
図７〜図１０を参照する。図７〜図１０に示すように、本考案の第２実施形態に係る光磁気照射機は、第１実施形態と異なり、光磁気照射機１ａのハウジング１０ａをベース４０ａと整合してデスクトップ型にしてもよい。光子発生装置２０ａ及び磁力ユニット３０ａは、ベース４０ａの相対的上方に位置する。
【００１８】
上述の構造により、特定の磁場を利用して宇宙のエネルギーを引き付け、人体のエネルギーに合致すると共鳴共振し、人体のエネルギーが調整されてバランスが良い状態に回復する。
【００１９】
本考案の光磁気照射機を身体に応用すると、肢体の手足の筋肉が硬くなったり痛くなったりしたときに、手足を光磁気照射機に毎回３０分間（ただしこれだけに限定される訳ではない）入れると、筋肉が硬くなったり痛くなったりすることが徐々に無くなり、１日に３〜５回使用することができ（ただしこれだけに限定される訳ではない）、筋肉が硬くなったり痛くなったりすることを完全に無くすことができる。また胸部、腹部へ応用してもよい（しかし心臓にペースメーカーを装着している者は使用できない）。ここで、毎日の使用回数及び毎回の使用時間は、制限されないため、使用する者の体質に応じて調整することができる。
【００２０】
本考案の光磁気照射機は、以下（１）〜（５）の長所を有する。
（１）血液に電解質の解離作用を発生させて血中イオンを増加させ、血液の循環が自然に促進され、代謝機能が向上する。
（２）その特定の磁気振動作用により非常に優れた効果が得られ、手又は足を装置内へ伸ばし入れるだけで、血液循環をスムーズにし、体内のエネルギーを高め、五臓六腑の体内のトーションフィールドのバランスをとる。また、装置を臍部、「心輪」、背脊、腰脊（命門穴）、仙骨又は頂輪に置くと、上述の効果を直ちに発生させることができる上、五臓六腑のエネルギーを調整することもでき、各部のエネルギーを全面的に向上させて健康を維持することができる。
（３）経絡中に溜まったうっ血又は気結（即ち、気の詰まり）を除去することができるため、筋肉が硬くなったり痛くなったりすることを自然に無くすことができる。なぜなら筋肉が硬くなったり痛くなったりすることは、全て詰まりから引き起こされるためである。即ち、身体のエネルギーのバランスがとれると、疾病にかかりにくくなる。
（４）細胞間は電気エネルギー（気）により伝達し合い、大脳の神経伝達は、大脳のシナプスにより行われ、大脳神経も電流（気）により伝達される。地球上の人類又は各種動物は、地球の磁場の作用を受ける上、人々の生活習慣又は環境の影響を受け、身体のエネルギー（即ち電流、気）が弱くなって健康に悪影響を与える虞があった。光磁気照射機の作用とは、弱くなった電流やバランスを失った気場を増強してバランスをとり、大脳のシナプス及び細胞の電流伝達を良くし、より速くスムーズにして身体をより健康にする。
（５）手を光磁気照射機内に伸ばし入れるか、光磁気照射機を上述の身体各部へ設置すると、全身の電流（気）の流動伝達原理により身体の調子を整えることができる。
【００２１】
本考案の光磁気照射機は、以下（１）〜（７）に応用できる。
（１）脳の下垂体外面の眉心、頂輪（泥丸宮）、後脳（枕穴に至る）に設置すると、大脳及び小脳の細胞が活性化して記憶が回復し、行動が次第に回復して俊敏となり、脳下垂体の機能が回復し、性機能を正常な状態にすることができる。
（２）心竅（壇中穴）に設置すると、心臓の血液循環がスムーズとなり、循環が阻害されることを防ぎ、動悸又は不整脈を改善することができる。
（３）臍部（臍輪）に設置すると、腹部の血色（陰陽）を調和し、消導の気を正常な状態にすることができる。
（４）丹田に設置すると、腎機能を強化することができる。
（５）仙骨（骸骨中心）に設置すると、腎臓の下行気をスムーズにし、両足の気の流れをスムーズにすることができる。
（６）腰脊（腰兪穴）に設置すると腎臓機能が次第に回復することができる（もし栄養不良の場合、腎臓に必要な影響を補充する必要がある）。
（７）筋肉が硬くなったり痛くなったりした場所に設置すると、筋肉が硬くなったり痛くなったりしている状態を徐々に改善することができる。
【００２２】
全体的に述べると、本考案の光磁気照射機を１５分間使用するだけで、免疫力、血液循環、代謝力を高め、全身の気場を増大させ、外部から侵入してくる力（動物霊、細菌毒）に抵抗することができる。
【００２３】
使用時間：（これだけに限定されるわけではないが）１回当り１５分間であり、５時間又は５時間以上の効果を維持することができる。言い換えると、（これだけに限定されるわけではないが）たった１回、５時間だけ使用するだけで全身のエネルギーを正常な健康状態に維持することができる。ここで、使用する時間の間隔は限定されるわけではなく、各人の体質又は必要に応じて変化させることができ、それにより得られる効果及び継続時間も異なる。
【００２４】
本考案の光磁気照射機は、例えば、茶葉、野菜、果物、煙草、酒類、醤油、酢、豆乳、漬物など各種天然の食べ物又は液体に使用して処理することができ、光磁気照射機により処理した後、美味しく、甘く、芳醇、喉越しが良く、濃密となる上、微量な農薬の化学構造を分解してその毒性を無くし、日常生活での応用範囲が広くて実用的であり、人体の健康に大きな助けとなり、生活の質を向上して健康を維持することができる。言い換えると、本考案の光磁気照射機を使用する範囲は、各種物質分子構造の変換処理だけでなく、食物、各種液体類及び身体にも使用することができ、必要に応じて如何なる物品及び物質にも使用することができる。
【符号の説明】
【００２５】
１    光磁気照射機
１ａ    光磁気照射機
１０    ハウジング
１０ａ    ハウジング
１１    空間
１２    磁力遮蔽層
１３    第１の磁力透過層
１４    第２の磁力透過層
１５    粘着層
１６    入口
１７    カバー
２０    光子発生装置
２０ａ    光子発生装置
２１    回路基板
２２    光源
２３    導光部材
２４    電源部材
２５    電源スイッチ
３０    磁力ユニット
３０ａ    磁力ユニット
３１    ユニット磁気領域
３２    磁力盤
４０    フレーム
４０ａ    ベース
４１    ホイール
１３１    嵌合溝領域
１３２    凹凸構造
１７１    収容溝
２３１    光学構造
【図１】
0003213328.tif 000003
【図２】
0003213328.tif 000004
【図３】
0003213328.tif 000005
【図４】
0003213328.tif 000006
【図５】
0003213328.tif 000007
【図６】
0003213328.tif 000008
【図７】
0003213328.tif 000009
【図８】
0003213328.tif 000010
【図９】
0003213328.tif 000011
【図１０】
0003213328.tif 000012